【手続補正書】
【提出日】平成28年12月13日(2016.12.13)
【手続補正１】
【補正対象書類名】明細書
【補正対象項目名】０００６
【補正方法】変更
【補正の内容】
【０００６】
上記目的を達成するため、本発明の第１の観点に係る無線通信装置は、
他の無線通信装置と無線通信を行う無線通信部と、
前記他の無線通信装置との接続後の情報であって、前記他の無線通信装置と無線通信を行う時間帯についての時間帯情報と、前記他の無線通信装置と無線通信を行う周波数帯域についての周波数帯域情報と、を記憶する記憶部と、
プロセッサと、を備え、
前記プロセッサは、
前記他の無線通信装置と第１の無線通信をした後の第２の無線通信の際に、前記他の無線通信装置と無線通信を行う周波数帯域を、前記記憶部に記憶された前記時間帯情報と前記周波数帯情報とから、決定する、
ことを特徴とする。
【手続補正２】
【補正対象書類名】明細書
【補正対象項目名】０００７
【補正方法】変更
【補正の内容】
【０００７】
また、上記目的を達成するため、本発明の第２の観点に係る無線通信装置は、
他の無線通信装置と無線通信を行う無線通信部と、
前記他の無線通信装置との通信を利用するアプリケーションの機能と、前記他の無線通信装置との接続後の情報であって、前記他の無線通信装置と無線通信を行う周波数帯域についての周波数帯域情報と、を記憶する記憶部と、
プロセッサと、を備え、
前記プロセッサは、
前記他の無線通信装置と第１の無線通信をした後の第２の無線通信の際に、前記他の無線通信装置と無線通信を行う周波数帯域を、前記記憶部に記憶された前記アプリケーションの機能と前記周波数帯情報とから、決定する、
ことを特徴とする。
【手続補正３】
【補正対象書類名】特許請求の範囲
【補正対象項目名】全文
【補正方法】変更
【補正の内容】
【特許請求の範囲】
【請求項１】
他の無線通信装置と無線通信を行う無線通信部と、
前記他の無線通信装置との接続後の情報であって、前記他の無線通信装置と無線通信を行う時間帯についての時間帯情報と、前記他の無線通信装置と無線通信を行う周波数帯域についての周波数帯域情報と、を記憶する記憶部と、
プロセッサと、を備え、
前記プロセッサは、
前記他の無線通信装置と第１の無線通信をした後の第２の無線通信の際に、前記他の無線通信装置と無線通信を行う周波数帯域を、前記記憶部に記憶された前記時間帯情報と前記周波数帯情報とから、決定する、
ことを特徴とする無線通信装置。
【請求項２】
他の無線通信装置と無線通信を行う無線通信部と、
前記他の無線通信装置との通信を利用するアプリケーションの機能と、前記他の無線通信装置との接続後の情報であって、前記他の無線通信装置と無線通信を行う周波数帯域についての周波数帯域情報と、を記憶する記憶部と、
プロセッサと、を備え、
前記プロセッサは、
前記他の無線通信装置と第１の無線通信をした後の第２の無線通信の際に、前記他の無線通信装置と無線通信を行う周波数帯域を、前記記憶部に記憶された前記アプリケーションの機能と前記周波数帯情報とから、決定する、
ことを特徴とする無線通信装置。
【請求項３】
前記プロセッサは、前記第１の無線通信をした後に、前記周波数帯域情報を前記記憶部に記憶させる
ことを特徴とする請求項１又は２に記載の無線通信装置。
【請求項４】
前記プロセッサは、前記第１の無線通信における接続が確立した後に、前記周波数帯域情報を前記記憶部に記憶させる
ことを特徴とする請求項１〜３のいずれか一項に記載の無線通信装置。
【請求項５】
前記プロセッサは、前記第１の無線通信又は前記第２の無線通信における接続を確立するために使用した周波数帯域とは異なる周波数帯域で、前記通信部にデータの送受信をさせる
ことを特徴とする請求項１〜４のいずれか一項に記載の無線通信装置。
【請求項６】
スレーブとBluetooth（登録商標）low energyに基づく無線通信を行うマスターであって、
３個の周波数帯域でアドバタイズを送信する前記スレーブから、当該アドバタイズを受信し、当該スレーブとの接続を確立する第１接続確立部と、
前記第１接続確立部により前記スレーブとの接続が確立された後、前記スレーブと次回以降に接続を確立するときに利用する周波数帯域として、前記３個の周波数帯域のうちからのＭ個（Ｍは３よりも小さい自然数）の周波数帯域を決定する周波数帯域決定部と、
前記周波数帯域決定部により決定された周波数帯域を、前記第１接続確立部により接続を確立した前記スレーブに通知する周波数帯域通知部と、
前記周波数帯域決定部により決定された周波数帯域で、前記スレーブからアドバタイズを受信し、前記スレーブとの接続を確立する第２接続確立部と、
を備えるマスター。
【請求項７】
マスターとBluetooth（登録商標） low energyに基づく無線通信を行うスレーブであって、
３個の周波数帯域で、アドバタイズを送信する第１アドバタイズ送信部と、
前記第１アドバタイズ送信部により送信されたアドバタイズを受信した前記マスターから、前記３個の周波数帯域のうち、Ｍ個（Ｍは３よりも小さい自然数）の周波数帯域を指定する通知を受信する通知受信部と、
前記通知受信部により受信された前記通知により指定された周波数帯域で、前記マスターに前記アドバタイズを送信する第２アドバタイズ送信部と、
を備えること特徴とするスレーブ。
【請求項８】
他の無線通信装置と無線通信を行う無線通信部と、記憶部と、を備える無線通信装置の無線通信方法であって、
前記他の無線通信装置との接続後の情報であって、前記他の無線通信装置と無線通信を行う時間帯についての時間帯情報を前記記憶部に記憶するステップ、
前記他の無線通信装置との接続後の情報であって、前記他の無線通信装置と無線通信を行う周波数帯域についての周波数帯域情報を前記記憶部に記憶するステップ、
前記他の無線通信装置と第１の無線通信をした後の第２の無線通信の際に、前記他の無線通信装置と無線通信を行う周波数帯域を、前記記憶部に前記記憶された前記時間帯情報と前記周波数帯情報とから、決定するステップ、
を含むことを特徴とする無線通信方法。
【請求項９】
他の無線通信装置と無線通信を行う無線通信部と、記憶部と、を備える無線通信装置の無線通信方法であって、
前記他の無線通信装置との通信を利用するアプリケーションの機能情報を前記記憶部に記憶するステップ、
前記他の無線通信装置との接続後の情報であって、前記他の無線通信装置と無線通信を行う周波数帯域についての周波数帯域情報を前記記憶部に記憶するステップ、
前記他の無線通信装置と第１の無線通信をした後の第２の無線通信の際に、前記他の無線通信装置と無線通信を行う周波数帯域を、前記記憶部に記憶された前記アプリケーションの機能情報と前記周波数帯情報とから、決定するステップ、
を含むことを特徴とする無線通信方法。
【請求項１０】
他の無線通信装置と無線通信を行う無線通信部と、記憶部と、を備える無線通信装置のプロセッサを、
前記他の無線通信装置との接続後の情報であって、前記他の無線通信装置と無線通信を行う時間帯についての時間帯情報を前記記憶部に記憶させる時間帯情報記憶手段、
前記他の無線通信装置との接続後の情報であって、前記他の無線通信装置と無線通信を行う周波数帯域についての周波数帯域情報を前記記憶部に記憶させる周波数帯域情報記憶手段、
前記他の無線通信装置と第１の無線通信をした後の第２の無線通信の際に、前記他の無線通信装置と無線通信を行う周波数帯域を、前記記憶部に前記記憶された前記時間帯情報と前記周波数帯情報とから、決定する周波数帯域決定手段、
として機能させることを特徴とするプログラム。
【請求項１１】
他の無線通信装置と無線通信を行う無線通信部と、記憶部と、を備える無線通信装置のプロセッサを、
前記他の無線通信装置との通信を利用するアプリケーションの機能情報を前記記憶部に記憶させる機能情報記憶手段、
前記他の無線通信装置との接続後の情報であって、前記他の無線通信装置と無線通信を行う周波数帯域についての周波数帯域情報を前記記憶部に記憶させる周波数帯域情報記憶手段、
前記他の無線通信装置と第１の無線通信をした後の第２の無線通信の際に、前記他の無線通信装置と無線通信を行う周波数帯域を、前記記憶部に記憶された前記アプリケーションの機能情報と前記周波数帯情報とから、決定する周波数帯域決定手段、
として機能させることを特徴とするプログラム。